(57)【要約】【課題】耐久性の向上及び構成要素の省スペース化を図る照明灯を提供する。【解決手段】照明灯１０は、筐体１１と、筐体１１に配置された透光性を有するグローブ１２と、集結して配置された複数の半導体発光素子を含み且つグローブ１２に配置される発光部２０と、発光部２０の電源部１５とを備える。筐体１１内のグローブ１２に対応する領域に電源部１５の少なくとも一部が配置され、且つ発光部２０と電源部１５とが離間して配置される。【選択図】図４
2017120741.tif 000002
【特許請求の範囲】
【請求項１】
筐体と、
前記筐体に配置された透光性を有する透光部と、
集結して配置された複数の半導体発光素子を含み、且つ前記透光部に配置される発光部と、
前記発光部の電源部とを備え、
前記筐体内の前記透光部に対応する領域に前記電源部の少なくとも一部が配置され、且つ前記発光部と前記電源部とが離間して配置される
照明灯。
【請求項２】
前記電源部の少なくとも一部は、前記透光部に対して前記発光部の背部に配置される
請求項１に記載の照明灯。
【請求項３】
前記電源部を支持する電源部支持体と前記発光部を支持する発光部支持体とを備え、
前記電源部支持体は、前記発光部支持体も支持し、
前記発光部支持体は、前記電源部から離間して配置される
請求項１または２に記載の照明灯。
【請求項４】
前記発光部支持体は、板状の形状を有し、
前記発光部支持体と前記電源部支持体との間に、前記電源部の少なくとも一部が配置される空間が形成される
請求項３に記載の照明灯。
【請求項５】
前記発光部支持体は、熱伝導材料から形成され、
前記電源部支持体は、前記発光部支持体よりも低い熱伝導性を有する材料から形成される
請求項３または４に記載の照明灯。
【請求項６】
前記透光部は、前記筐体に形成された開口部から外方に突出し、
前記発光部は、前記透光部内又は前記開口部に配置される
請求項１〜５のいずれか一項に記載の照明灯。
【請求項７】
前記発光部を支持する板状の発光部支持体が、前記開口部の内側に配置されると共に、前記透光部に対して前記発光部の背部に配置される
請求項６に記載の照明灯。
【請求項８】
前記発光部は、前記複数の半導体発光素子を覆い且つ透光性を有するレンズ体を備える
請求項１〜７のいずれか一項に記載の照明灯。
【発明の詳細な説明】
【技術分野】
【０００１】
本発明は、半導体発光素子を備える照明灯に関する。
【背景技術】
【０００２】
ＬＥＤとも呼ばれる半導体発光素子を備える照明灯が提案されている。例えば、特許文献１には、ＬＥＤ基板に実装された複数のＣＯＢ型ＬＥＤを灯具本体に備える道路灯が記載されている。上記灯具本体内では、光源室が設けられており、この光源室に、ＬＥＤとＬＥＤの電源とが組み付けられている。
【先行技術文献】
【特許文献】
【０００３】
【特許文献１】特開２０１４−１７５０７４号公報
【発明の概要】
【発明が解決しようとする課題】
【０００４】
特許文献１に記載される道路灯では、熱を発するＬＥＤが実装されたＬＥＤ基板と、耐熱性が低い電源とが、光源室という同じ空間内で隣接して配置されている。このため、ＬＥＤの発生熱にさらされる電源の耐久性が低くなる可能性がある。また、ＬＥＤ基板と電源とが互いの側方に並べて配置されるため、光源室のスペースが大きくなり、灯具本体が大型化する可能性がある。
【０００５】
本発明は、上記問題を解決するためになされたものであり、耐久性の向上及び照明灯の構成要素の省スペース化を図る照明灯を提供することを目的とする。
【課題を解決するための手段】
【０００６】
上記目的を達成するために、本発明に係る照明灯は、筐体と、筐体に配置された透光性を有する透光部と、集結して配置された複数の半導体発光素子を含み、且つ透光部に配置される発光部と、発光部の電源部とを備え、筐体内の透光部に対応する領域に電源部の少なくとも一部が配置され、且つ発光部と電源部とが離間して配置される。
【０００７】
上述の構成において、半導体発光素子を含む発光部は、その厚みを低く抑えることができる。このため、少なくとも一部が筐体内の透光部に対応する領域に配置される電源部が、透光部に配置される発光部に接近させつつ発光部から離間して配置される場合、電源部及び発光部が占めるスペースを小さくすることができる。さらに、複数の半導体発光素子を集中して配置した発光部は、拡散して配置したものと比較して熱量の集中が発生するため、電源部を離間して配置することにより、発光部から受ける熱を低減することができる。
【０００８】
電源部の少なくとも一部は、透光部に対して発光部の背部に配置されてもよい。上述の構成において、発光部の背部に電源部を配置することにより、電源部及び発光部が占めるスペースがより小さくなり、照明灯の構成要素のさらなる省スペース化が可能である。
【０００９】
照明灯は、電源部を支持する電源部支持体と発光部を支持する発光部支持体とを備え、電源部支持体は、発光部支持体も支持し、発光部支持体は、電源部から離間して配置されてもよい。上述の構成において、発光部支持体は電源部から離して配置される。よって、発光部が生じる熱が発光部支持体を介して電源部へ伝達するのが抑えられる。
【００１０】
発光部支持体は、板状の形状を有し、発光部支持体と電源部支持体との間に、電源部の少なくとも一部が配置される空間が形成されてもよい。上述の構成において、板状の発光部支持体は、発光部と電源部との間を遮るように介在し得る。よって、発光部が生じる熱が電源部へ直接的に伝わるのが低減される。
【００１１】
発光部支持体は、熱伝導材料から形成され、電源部支持体は、発光部支持体よりも低い熱伝導性を有する材料から形成されてもよい。上述の構成において、発光部支持体は、発光部が生じる熱を放散させることができる。電源部支持体は、発光部支持体の熱が電源部支持体を介して電源部に伝達するのを抑制する。
【００１２】
透光部は、筐体に形成された開口部から外方に突出し、発光部は、透光部内又は開口部に配置されてもよい。上述の構成において、発光部が生じる熱を透光部を通じて外部に放散させることができ、それにより、発光部が生じる熱が筐体内に籠るのを抑えることができる。また、発光部が発する光を、透光部を通じて外部に効率的に放射させることができる。
【００１３】
発光部を支持する板状の発光部支持体が、開口部の内側に配置されると共に、透光部に対して発光部の背部に配置されてもよい。上述の構成において、開口部から筐体内へ向かう発光部が発する光を、板状の発光部支持体に反射させて、透光部を通じて外部に放射させることができる。
【００１４】
発光部は、複数の半導体発光素子を覆い且つ透光性を有するレンズ体を備えてもよい。上述の構成において、複数の半導体発光素子に対して１つのレンズ体を設けるようにすることができる。よって、コスト低減が可能になる。
【発明の効果】
【００１５】
本発明に係る照明灯によれば、耐久性を向上し、その構成要素のスペースを低減することが可能になる。
【図面の簡単な説明】
【００１６】
【図１】本発明の実施の形態に係る照明灯を備える照明柱の外観図である。
【図２】図１の照明灯の側面図である。
【図３】図１の照明灯をグローブ側から見た底面図である。
【図４】図３の照明灯のＩＶ−ＩＶ線に沿った断面図である。
【図５】図３の照明灯からカバーを取り除いた底面図である。
【発明を実施するための形態】
【００１７】
以下、図面を参照しつつ、本発明の実施の形態に係る照明灯について説明する。なお、以下で説明する実施の形態は、いずれも包括的又は具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１８】
また、添付の図面における各図は、模式的な図であり、必ずしも厳密に図示されたものでない。さらに、各図において、同一又は同様な構成要素については同じ符号を付している。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１９】
［実施の形態］
本発明の実施の形態に係る照明灯１０について説明する。本実施の形態では、照明灯１０は、道路灯、街路灯等の屋外用の照明灯であるとする。図１を参照すると、照明灯１０は、照明柱１の一部を構成している。なお、図１は、実施の形態に係る照明灯１０を備える照明柱１の外観図である。照明柱１は、その最上部に設けられ且つ照明用の光を発する照明灯１０と、地面等から立設する支柱２と、照明灯１０と支柱２とを連結するアーム３とを備える。つまり、照明灯１０は、アーム３及び支柱２によって支持されている。しかしながら、照明灯１０は、地面に据え付けられるのではなく構造物に設置される場合、アーム３を介して構造物に取り付けられるように構成されてもよい。商用電源等の電力系統に電気的に接続された電線が、支柱２内及びアーム３内に通され、照明灯１０に電気的に接続されることができる。
【００２０】
図２及び図３を参照すると、照明灯１０は、筐体１１と、照明用の光を外部に放射するためのグローブ１２とを備える。なお、図２は、図１の照明灯１０の側面図である。図３は、図１の照明灯１０をグローブ１２側から見た底面図である。筐体１１は、その内部に、種々の構成要素を含む閉じた空間を形成する。筐体１１は、アーム３が接続されるベースハウジング１１ａと、グローブ１２が配設されるカバー１１ｂとを備える。ベースハウジング１１ａ及びカバー１１ｂは、いかなる材料から作製されてもよいが、本実施の形態では、熱伝導性を有する材料からなる板材から作製される。例えば、ベースハウジング１１ａ及びカバー１１ｂは、アルミニウム、アルミニウム合金、アルミナ、マグネシウム合金等の高い熱伝導性を有する金属材料から作製され得る。上述のように板材から形成される筐体１１は、殻状の構成を有している。これにより、照明灯１０で発生する熱が、筐体１１を介して外部に放散され得る。ここで、グローブ１２は、透光部の一例である。ここで透光部とは、照明灯１０の筐体１１の内部にあり且つ照明用の光を発する発光部から放出される光を直接的に又は間接的に筐体１１の外部に放出させるために設けられた部分である。例えば、透光部は、筐体１１に設けられた開口部又はガラス面等においては、発光部からの直接光及び反射板等によって反射した反射光が通過している部分であり得る。
【００２１】
ベースハウジング１１ａ及びカバー１１ｂはそれぞれ、筐体１１の半体を構成し、それぞれの端部でヒンジ１１ｃを介して連結されている。本実施の形態では、ヒンジ１１ｃは、ベースハウジング１１ａにおけるアーム３が接続される端部と反対側の端部の位置で、ベースハウジング１１ａ及びカバー１１ｂを連結する。しかしながら、ヒンジ１１ｃの位置は、上記位置に限定されない。カバー１１ｂは、ヒンジ１１ｃを中心に、ベースハウジング１１ａに対して回動して、ベースハウジング１１ａを開閉することができる。カバー１１ｂが回動されて、カバー１１ｂの周縁全体がベースハウジング１１ａの周縁全体に嵌合することによって、ベースハウジング１１ａが閉じられる。ベースハウジング１１ａと嵌合しているカバー１１ｂが上記回動の方向と反対方向に回動されることによって、ベースハウジング１１ａが開放される。
【００２２】
カバー１１ｂは、ベースハウジング１１ａと対向する位置に、平坦な取付壁部１１ｂｂを有している。取付壁部１１ｂｂは、グローブ１２が取り付けられる壁部である。グローブ１２を取り付けるための開口部１１ｂａが、取付壁部１１ｂｂを貫通して形成されている。
【００２３】
図２、図３及び図４を参照すると、グローブ１２は、透光性を有する材料からなる湾曲した板材から作製され、殻状の構成を有している。なお、図４は、図３の照明灯１０のＩＶ−ＩＶ線に沿った断面図であり、ベースハウジング１１ａ及びカバー１１ｂの中央並びにアーム３の中央を通る断面図である。グローブ１２を構成する材料には、ガラス、樹脂等が使用され得る。グローブ１２は、半球体、半楕円体、半円柱体、半楕円柱体等の凸曲面を伴った輪郭を有し得る。本実施の形態では、グローブ１２は、半楕円体状の輪郭つまり外形を有している。そして、グローブ１２は、その周縁１２ａをカバー１１ｂの取付壁部１１ｂｂにおける開口部１１ｂａの周縁に筐体１１の内側から係合させ、開口部１１ｂａを通って取付壁部１１ｂｂから突出している。
【００２４】
図４を参照すると、照明灯１０は、筐体１１の内部に、供給される電力によって光を発する発光部２０と、発光部２０を支持する発光部支持体１４と、発光部２０へ供給する電力を制御する電源部１５と、電源部１５を支持する電源部支持体１３とを備えている。
【００２５】
ベースハウジング１１ａは、その内部に、支持壁部１１ａａを一体的に有している。ベースハウジング１１ａと支持壁部１１ａａとは、連続する１つの部材から一体的に形成されるように構成されてもよく、別々の部材から形成されて支持壁部１１ａａがベースハウジング１１ａに取り付けられるように構成されてもよい。支持壁部１１ａａは、ベースハウジング１１ａと同様の材料から作製されると共に、一部に屈曲を伴いつつ全体としては平坦な板材から作製されている。そして、支持壁部１１ａａも熱伝導性を有する。支持壁部１１ａａは、ベースハウジング１１ａを閉じているカバー１１ｂの取付壁部１１ｂｂ及び開口部１１ｂａと対向する位置に位置し、取付壁部１１ｂｂに沿って延在する。支持壁部１１ａａは、支持壁部１１ａａに略垂直な方向で開口部１１ｂａを支持壁部１１ａａに投影したとき、開口部１１ｂａの投影像全体を含む形状及び寸法で形成されている。
【００２６】
図４及び図５を参照すると、筐体１１内において、支持壁部１１ａａにおける開口部１１ｂａ側の表面上には、電源部支持体１３が配設されている。なお、図５は、図３の照明灯１０からカバー１１ｂを取り除いた底面図である。電源部支持体１３は、略矩形の平板状をした本体部１３ａと、本体部１３ａの長手方向に沿った２つの縁のそれぞれから直立する平板状の支持腕部１３ｂとを一体的に有している。本体部１３ａと支持腕部１３ｂとは、連続する１つの部材から一体的に形成される。各支持腕部１３ｂは、幅広の平坦な表面を互いに対向させるようにして略平行に配置されている。つまり、各支持腕部１３ｂは、幅広の平坦な表面を、矩形状の本体部１３ａの長手方向に沿う方向にして配置されている。本体部１３ａ及び支持腕部１３ｂ、つまり電源部支持体１３は、後述する発光部支持体１４を構成する材料よりも低い熱伝導性を有する材料から作製されている。さらに、電源部支持体１３は、熱伝導性が低い材料から作製されるのがより好ましい。例えば、電源部支持体１３は、ステンレス鋼、ジルコニア、樹脂等の保温性又は断熱性を有する材料から作製されるのが好ましい。
【００２７】
電源部支持体１３の本体部１３ａは、その長手方向を、ベースハウジング１１ａにおけるアーム３が通る端部１１ａｂからヒンジ１１ｃが設けられる端部１１ａｃに向かう方向に沿わせるように、支持壁部１１ａａ上に配設される。本体部１３ａは、支持壁部１１ａａと略平行に延在し、特に、端部１１ａｃ側では支持壁部１１ａａの平坦な表面に接触し且つ上記平坦な表面の形状にならうように延在する。そして、本体部１３ａにおける端部１１ａｃ側の一部は、支持壁部１１ａａへの開口部１１ｂａの投影像内に含まれる。このとき、支持腕部１３ｂは、開口部１１ｂａに対向する位置に位置し、開口部１１ｂａに向かって本体部１３ａから突出する。本実施の形態では、これに限定するわけではないが、支持腕部１３ｂは、支持壁部１１ａａへの開口部１１ｂａの投影像内に含まれる。よって、本体部１３ａ及び支持腕部１３ｂは、開口部１１ｂａ及びグローブ１２に対応する位置に位置する。
【００２８】
本体部１３ａに対する支持腕部１３ｂの遠位端部には、平板状の発光部支持体１４が取り付けられている。発光部支持体１４は、熱伝導性を有する材料から作製され、特に、アルミニウム、アルミニウム合金、アルミナ、マグネシウム合金等の高い熱伝導性を有する金属材料から作製されるのが好ましい。発光部支持体１４は、２つの支持腕部１３ｂによって支持されている。支持腕部１３ｂへの発光部支持体１４の取付方法は、いかなる方法であってよい。例えば、ねじ留めなどの締結、嵌合、接着、溶接等の接合方法が、上記取付に用いられてよい。
【００２９】
発光部支持体１４は、その幅広の平坦な表面１４ａ及び１４ｂが開口部１１ｂａ及びグローブ１２の周縁１２ａの沿う方向に沿って延在するように、配置される。発光部支持体１４は、開口部１１ｂａ及びグローブ１２の周縁１２ａの近傍に配置され、好ましくは、開口部１１ｂａの周縁又はグローブ１２の周縁１２ａと並ぶ位置に位置し、より好ましくは、開口部１１ｂａの周縁よりもグローブ１２の内側に位置する。平板状の発光部支持体１４は、開口部１１ｂａの内側、具体的にはグローブ１２の周縁１２ａの内側に収まるような平面形状及び寸法を有しており、本実施の形態では、開口部１１ｂａ及びグローブ１２の周縁１２ａにならう１２角形の平面形状を有している。発光部支持体１４は、開口部１１ｂａのできるだけ多くの領域を塞ぐように延在するのが好ましい。また、発光部支持体１４は、電源部支持体１３の本体部１３ａから間隔をあけて本体部１３ａに対向するように位置している。発光部支持体１４は、本体部１３ａの長手方向に沿った発光部支持体１４の２つの対向する側部において、支持腕部１３ｂに固定されている。上述のような発光部支持体１４と本体部１３ａとの間には、電源部１５の少なくとも一部を配置することができる空間１６が形成される。
【００３０】
発光部支持体１４における本体部１３ａと反対側の表面１４ａ上において、表面１４ａの略中心には、１つの発光部２０が配設されている。発光部２０は、１つの円形状の平面形状をした半導体発光素子部２１と、１つのレンズ体２２とを含む。半導体発光素子部２１には、複数の半導体発光素子（ＬＥＤ：Light Emitting Diode）が、円形状の領域内に集結して並べて配置されている。例えば、ＣＯＢ（Chip On Board）型の複数の半導体発光素子が、集結して並べて配置される。具体的には、複数の半導体発光素子は、表面１４ａに沿う方向に沿って並べて配置される。このため、１つの半導体発光素子部２１が、高い光束値の光、つまり明るい光を発することができる。半導体発光素子部２１は、発光部支持体１４と熱交換が可能なように発光部支持体１４に取り付けられる。このとき、半導体発光素子部２１は、発光部支持体１４に直接取り付けられてもよく、熱伝達部材を介して発光部支持体１４に取り付けられてもよい。なお、半導体発光素子は、発光方向つまり表面１４ａに垂直な方向で薄く形成され得るため、半導体発光素子部２１は、表面１４ａに垂直な方向で薄く形成され得る。
【００３１】
レンズ体２２は、半導体発光素子部２１の全体を覆うように、半導体発光素子部２１に設けられる。レンズ体２２は、透光性を有する樹脂、ガラス等の材料から作製される。レンズ体２２は、半導体発光素子部２１が発する光を、表面１４ａ上で放射状に拡散するように配光する。そして、レンズ体２２は、グローブ１２の内側に位置する。特に、レンズ体２２は、開口部１１ｂａの周縁又はグローブ１２の周縁１２ａよりもグローブ１２の内側に位置するのが好ましい。
【００３２】
本実施の形態では、レンズ体２２は、長円をその長手軸Ａを中心に回転して得られる柱状体を上記長手軸に沿った断面で２分割した形状を有している、つまり、半円柱の両端面を孤状面とした形状を有している。レンズ体２２は、その平坦面を表面１４ａに対向させ、その凸曲面を表面１４ａから突出させるように配置される。さらに、レンズ体２２は、その長手軸Ａを、ベースハウジング１１ａの端部１１ａｂから端部１１ａｃに向かう方向と略垂直な方向にして配置される。上述のようなレンズ体２２は、半導体発光素子部２１が発する光を、端部１１ａｂから端部１１ａｃに向かう方向及びその反対方向への放射光が上記方向と垂直な方向への放射光よりも強くなるように配分する。
【００３３】
また、発光部支持体１４は、グローブ１２の内側の空間と、グローブ１２に対して発光部支持体１４の背部に位置する筐体１１内の空間とを遮るように延在する、つまり、発光部２０と発光部支持体１４の背部の上記空間とを遮るように延在する。このため、レンズ体２２によって拡散された光の一部が、発光部支持体１４の表面１４ａを照射する。よって、発光部支持体１４の表面１４ａは、表面１４ａを照射する光を反射するように構成されるのが好ましい。発光部支持体１４が、アルミニウム、アルミニウム合金のように光の多くを反射可能な材料から作製される場合、表面１４ａへの処理がなされなくてもよく、より反射率を向上させるために研磨等の表面１４ａへの処理がなされてもよい。発光部支持体１４が、光の多くを反射不可能な材料から作製される場合、表面１４ａへの反射膜の形成、反射塗料の塗布等の表面処理がなされてもよい。
【００３４】
電源部支持体１３の本体部１３ａ上に、電源部１５が、本体部１３ａと接触して配設されている。電源部１５は、電力系統から供給される交流電力を直流電力に変換すると共に、直流電力を制御して発光部２０の半導体発光素子部２１へ供給する。電源部１５は、ＡＣ／ＤＣコンバータのような電力変換装置等を含む。電源部１５は、グローブ１２に対する発光部支持体１４の背面１４ｂ側に配置される。電源部１５は、開口部１１ｂａ及びグローブ１２を支持壁部１１ａａ及び本体部１３ａと略垂直な方向で支持壁部１１ａａ及び本体部１３ａに投影した投影像の領域内に少なくとも一部が位置し、発光部支持体１４の背部に少なくとも一部が位置するように配置される。つまり、電源部１５は、開口部１１ｂａ及びグローブ１２に対応する領域内に少なくとも一部が位置するように配置される。具体的には、電源部１５は、本体部１３ａと発光部支持体１４との間の空間１６内に少なくとも一部が位置するように配置される。また、電源部１５は、電源部支持体１３の２つの支持腕部１３ｂの間に位置もしている。さらに、電源部１５は、発光部支持体１４に接近しているが、発光部支持体１４から間隔をあけて配置される。
【００３５】
電源部１５は、発光部支持体１４を構成する材料よりも低い熱伝導性を有する材料から作製されたカバー等の外殻によって覆われてもよい。さらに、上記外殻は、熱伝導性が低い材料から作製されてもよく、例えば、ステンレス鋼、ジルコニア、樹脂等の保温性又は断熱性を有する材料から作製されてもよい。
【００３６】
電源部１５は、電源部支持体１３の本体部１３ａ上に配設された端子１７に電気的に接続される。さらに、端子１７には、電力系統から筒状のアーム３の中を通って筐体１１内に延びる電線が接続される。これにより、電力系統の交流電力が電源部１５へ供給される。照明灯１０が、電源部１５を備えるため、アーム３及び支柱２に電源部を設ける必要がない。
【００３７】
上述のような照明灯１０において、発光部２０の半導体発光素子部２１が発光すると、半導体発光素子部２１は熱も発する。半導体発光素子部２１の熱は、グローブ１２内に放たれる、又は、発光部支持体１４に伝達する。発光部支持体１４の熱は、放熱面積が広い発光部支持体１４からグローブ１２内及び筐体１１内に放散する。グローブ１２が筐体１１から突出しているため、グローブ１２内の熱は、グローブ１２を介してグローブ１２及び筐体１１の外部に放出することができ、筐体１１に籠るのが抑えられる。
【００３８】
また、発光部支持体１４内の熱は、発光部支持体１４よりも低い熱伝導性を有する電源部支持体１３には伝達するのが抑えられ、そのため、電源部支持体１３を介して電源部１５にも伝達するのも抑えられる。また、電源部１５は、発光部支持体１４から間隙をあけて配置されているため、発光部支持体１４から電源部１５が受ける熱の伝達が抑えられる。さらに、電源部１５が、発光部支持体１４よりも低い熱伝導性を有する外殻によって覆われている場合、発光部支持体１４から電源部１５が受ける熱の伝達がさらに抑えられる。また、電源部１５と筐体１１のベースハウジング１１ａとの間に、電源部支持体１３の本体部１３ａが介在するため、電源部１５と筐体１１との間の熱の移動が抑えられる。これにより、発光部２０の熱が筐体１１に伝達した場合でも、筐体１１の熱が電源部１５に伝達するのが抑えられる。
【００３９】
また、レンズ体２２がグローブ１２の内側にあり且つ発光部支持体１４がカバー１１ｂの開口部１１ｂａの近傍にあるため、半導体発光素子部２１からレンズ体２２を介して放射される光の多くは、グローブ１２を介して筐体１１の外部に向かって照射する。つまり、筐体１１内の発光部支持体１４の背部へ逃げる光が、低減されている。また、発光部支持体１４の表面１４ａが光の反射特性を有している場合、レンズ体２２を介して放射される光が表面１４ａを照射しても、照射した光は表面１４ａで反射してグローブ１２を介して筐体１１の外部に向かって照射する。そして、グローブ１２が筐体１１から突出する凸曲面を形成しているため、グローブ１２を通った光は、広範囲を照射することができる。また、グローブ１２から発せられる光については、筐体１１の端部１１ａｂから端部１１ａｃに向かう方向及びその反対方向への光量が、上記方向と垂直な方向への光量よりも多くなっている。よって、端部１１ａｃを道路側等の照射すべき領域側とするように配向して設置された照明灯１０は、照明すべき領域を効果的に照明することができる。
【００４０】
［その他の変形例］
以上、本発明の実施の形態に係る照明灯１０について説明したが、本発明は、実施の形態に限定されるものではない。つまり、今回開示された実施の形態は全ての点で例示であって制限的なものではないと考えられるべきである。本開示における技術は、適宜、変更、置き換え、付加、省略などを行った実施の形態の変形例又は他の実施の形態にも適用可能である。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。本発明の範囲は上述した説明ではなくて特許請求の範囲によって示され、特許請求の範囲と均等の意味及び範囲内での全ての変更が含まれることが意図される。
【００４１】
実施の形態に係る照明灯１０は、アーム３を介して、支柱２又は構造物に取り付けられる構成であったが、照明灯１０が取り付けられる対象はいかなるものであってもよく、取り付けるための構造はいかなる構造であってもよい。
【００４２】
実施の形態に係る照明灯１０は、１つの半導体発光素子部２１を含む１つの発光部２０を備える構成であったが、これに限定されるものでない。２つの以上の発光部が設けられてもよく、このとき、各発光部にレンズ体が設けられてもよく、２つ以上の発光部を１つのレンズ体で覆うように構成されてもよい。また、１つの発光部が、２つ以上の半導体発光素子を含み、２つ以上の半導体発光素子を１つのレンズ体で覆うように構成されてもよい。
【００４３】
実施の形態に係る照明灯１０では、電源部支持体１３の２つの支持腕部１３ｂが発光部支持体１４を支持していたが、これに限定されるものでない。１つの支持腕部が、発光部支持体１４を支持してもよく、３つ以上の支持腕部が、発光部支持体１４を支持してもよい。支持腕部の配向も、筐体１１の端部１１ａｂから端部１１ａｃに向かう方向に支持腕部の幅広な表面が沿う配向に限定されるものでなく、上記方向に交差する方向に支持腕部の幅広な表面が沿う配向であってもよい。また、支持腕部の形状も、平板状に限定されるものでなく、いかなる形状を有していてもよい。
【００４４】
実施の形態に係る照明灯１０では、発光部支持体１４は、平板状の形状を有していたが、いかなる形状を有していてもよい。例えば、発光部支持体は、グローブ１２の突出方向と反対方向に窪む凹曲面を形成してもよい。このとき、発光部支持体は、反射鏡の機能を奏し得る。
【００４５】
実施の形態に係る照明灯１０では、電源部支持体１３の支持腕部１３ｂが発光部支持体１４を支持していたが、発光部支持体１４は、筐体１１に直接固定されてもよく、筐体１１に設けられた別の構成要素によって筐体１１に固定されてもよい。
【００４６】
また、電源部支持体１３は、電源部１５と接触する本体部１３ａを備えずに支持腕部１３ｂのみを備えてもよい。支持腕部１３ｂは、発光部支持体１４の熱が筐体１１に伝達するのを抑え、それにより、筐体１１を介して電源部１５に上記熱が伝達するのが抑えられる。
【産業上の利用可能性】
【００４７】
本発明は、屋外用等の照明灯に適用できる。
【符号の説明】
【００４８】
１０  照明灯
１１  筐体
１１ｂａ  開口部
１２  グローブ（透光部）
１３  電源部支持体
１４  発光部支持体
１５  電源部
１６  空間
２０  発光部
２１  半導体発光素子部
２２  レンズ体
【図１】
2017120741.tif 000003
【図２】
2017120741.tif 000004
【図３】
2017120741.tif 000005
【図４】
2017120741.tif 000006
【図５】
2017120741.tif 000007